(57)【要約】【課題】捜索対象の捜索効率を高め、ひいては発見率を高めること。【解決手段】猫等のペット３０に首輪等を介して取り付けられたＩＣタグ４０と、区画１０1〜１０9にそれぞれ設けられＩＣタグ４０を介して該ペット３０を検知する検知装置５０1〜５０9のうちいずれか一つの検知装置から、検知情報としてのＩＤおよび捜索情報が通知されたか否かを監視するステップと、ＩＤおよび捜索情報が通知された場合、その旨をペット３０の飼い主へ携帯端末１３０を経由して報知するステップとを含む。【選択図】        図１
2005202836.tif 000002
【特許請求の範囲】
【請求項１】
コンピュータに、
捜索対象に取り付けられた電子タグを介して該捜索対象を検知する検知装置から検知情報が通知されたか否かを監視する検知監視工程と、
前記検知情報が通知された場合、その旨を前記捜索対象を捜索する者へ報知する報知工程と、
を実行させるための捜索プログラム。
【請求項２】
前記報知工程では、前記その旨を前記捜索対象を捜索する者が携帯する携帯端末を介して捜索する者へ報知することを特徴とする請求項１に記載の捜索プログラム。
【請求項３】
前記報知工程では、前記検知情報に基づいて、前記捜索対象が検知された場所、日時を報知することを特徴とする請求項１または２に記載の捜索プログラム。
【請求項４】
前記コンピュータに、前記捜索対象の特徴を含む捜索情報を予め格納する格納工程と、前記検知情報が通知された場合、前記捜索情報に基づいて、公開捜索を行うための捜索チラシを印刷する捜索チラシ印刷工程と、を実行させることを特徴とする請求項１〜３のいずれか一つに記載の捜索プログラム。
【請求項５】
前記コンピュータに、前記捜索対象の特徴を含む捜索情報を予め格納する格納工程と、前記検知情報が通知された場合、公衆に閲覧されるＷｅｂサイトを介して、前記捜索情報を公開するＷｅｂサイト公開工程と、を実行させることを特徴とする請求項１〜３のいずれか一つに記載の捜索プログラム。
【請求項６】
前記検知装置には、前記捜索対象を検知した場合に、その旨を音により周囲に報知する検知装置報知部が備えられていることを特徴とする請求項１〜５のいずれか一つに記載の捜索プログラム。
【請求項７】
前記電子タグには、前記捜索対象に関する捜索対象情報が記憶されており、該捜索対象情報は、該電子タグから、近傍の前記携帯端末にリードされることを特徴とする請求項２〜６のいずれか一つに記載の捜索プログラム。
【請求項８】
前記捜索対象には、前記電子タグの他に、前記検知装置により検知された場合にその旨を音により周囲に報知する捜索対象報知部が取り付けられていることを特徴とする請求項１〜７のいずれか一つに記載の捜索プログラム。
【請求項９】
前記検知装置は、捜索領域が分割された複数の区画にそれぞれ設けられていることを特徴とする請求項１〜８のいずれか一つに記載の捜索プログラム。
【請求項１０】
前記報知工程では、前記複数の区画のうち前記捜索対象が常駐している常住区画に設けられた検知装置から検知情報が通知された場合、その旨および捜索開始を、前記捜索対象を捜索する者へ報知し、捜索開始後に、前記常住区画に設けられた前記検知装置から検知情報が再び通知された場合、前記捜索対象が常住区画に戻ってきたものとし、その旨および捜索終了を、前記捜索対象を捜索する者へ報知することを特徴とする請求項９に記載の捜索プログラム。
【請求項１１】
捜索対象に取り付けられた電子タグを介して該捜索対象を検知する検知装置から検知情報が通知されたか否かを監視する検知監視工程と、
前記検知情報が通知された場合、その旨を前記捜索対象を捜索する者へ報知する報知工程と、
を含むことを特徴とする捜索方法。
【請求項１２】
前記報知工程では、前記その旨を前記捜索対象を捜索する者が携帯する携帯端末を介して捜索する者へ報知することを特徴とする請求項１１に記載の捜索方法。
【請求項１３】
前記報知工程では、前記検知情報に基づいて、前記捜索対象が検知された場所、日時を報知することを特徴とする請求項１１または１２に記載の捜索方法。
【請求項１４】
前記捜索対象の特徴を含む捜索情報を予め格納する格納工程と、前記検知情報が通知された場合、前記捜索情報に基づいて、公開捜索を行うための捜索チラシを印刷する捜索チラシ印刷工程と、を含むことを特徴とする請求項１１〜１３のいずれか一つに記載の捜索方法。
【請求項１５】
前記捜索対象の特徴を含む捜索情報を予め格納する格納工程と、前記検知情報が通知された場合、公衆に閲覧されるＷｅｂサイトを介して、前記捜索情報を公開するＷｅｂサイト公開工程と、を含むことを特徴とする請求項１１〜１３のいずれか一つに記載の捜索方法。
【請求項１６】
前記検知装置には、前記捜索対象を検知した場合に、その旨を音により周囲に報知する検知装置報知部が備えられていることを特徴とする請求項１１〜１５のいずれか一つに記載の捜索方法。
【請求項１７】
前記電子タグには、前記捜索対象に関する捜索対象情報が記憶されており、該捜索対象情報は、該電子タグから、近傍の前記携帯端末にリードされることを特徴とする請求項１２〜１６のいずれか一つに記載の捜索方法。
【請求項１８】
前記捜索対象には、前記電子タグの他に、前記検知装置により検知された場合にその旨を音により周囲に報知する捜索対象報知部が取り付けられていることを特徴とする請求項１１〜１７のいずれか一つに記載の捜索方法。
【請求項１９】
前記検知装置は、捜索領域が分割された複数の区画にそれぞれ設けられていることを特徴とする請求項１１〜１８のいずれか一つに記載の捜索方法。
【請求項２０】
前記報知工程では、前記複数の区画のうち前記捜索対象が常駐している常住区画に設けられた検知装置から検知情報が通知された場合、その旨および捜索開始を、前記捜索対象を捜索する者へ報知し、捜索開始後に、前記常住区画に設けられた前記検知装置から検知情報が再び通知された場合、前記捜索対象が常住区画に戻ってきたものとし、その旨および捜索終了を、前記捜索対象を捜索する者へ報知することを特徴とする請求項１９に記載の捜索方法。
【請求項２１】
捜索対象に取り付けられた電子タグを介して該捜索対象を検知する検知装置から検知情報が通知されたか否かを監視する検知監視手段と、
前記検知情報が通知された場合、その旨を前記捜索対象を捜索する者へ報知する報知手段と、
を備えたことを特徴とする捜索装置。
【請求項２２】
前記報知手段は、前記その旨を前記捜索対象を捜索する者が携帯する携帯端末を介して捜索する者へ報知することを特徴とする請求項２１に記載の捜索装置。
【請求項２３】
前記報知手段は、前記検知情報に基づいて、前記捜索対象が検知された場所、日時を報知することを特徴とする請求項２１または２２に記載の捜索装置。
【請求項２４】
前記捜索対象の特徴を備えた捜索情報を予め格納する格納手段と、前記検知情報が通知された場合、前記捜索情報に基づいて、公開捜索を行うための捜索チラシを印刷する捜索チラシ印刷手段と、を備えたことを特徴とする請求項２１〜２３のいずれか一つに記載の捜索装置。
【請求項２５】
前記捜索対象の特徴を備えた捜索情報を予め格納する格納手段と、前記検知情報が通知された場合、公衆に閲覧されるＷｅｂサイトを介して、前記捜索情報を公開するＷｅｂサイト公開手段と、を備えたことを特徴とする請求項２１〜２３のいずれか一つに記載の捜索装置。
【請求項２６】
前記検知装置には、前記捜索対象を検知した場合に、その旨を音により周囲に報知する検知装置報知部が備えられていることを特徴とする請求項２１〜２５のいずれか一つに記載の捜索装置。
【請求項２７】
前記電子タグには、前記捜索対象に関する捜索対象情報が記憶されており、該捜索対象情報は、該電子タグから、近傍の前記携帯端末にリードされることを特徴とする請求項２２〜２６のいずれか一つに記載の捜索装置。
【請求項２８】
前記捜索対象には、前記電子タグの他に、前記検知装置により検知された場合にその旨を音により周囲に報知する捜索対象報知部が取り付けられていることを特徴とする請求項２１〜２７のいずれか一つに記載の捜索装置。
【請求項２９】
前記検知装置は、捜索領域が分割された複数の区画にそれぞれ設けられていることを特徴とする請求項２１〜２８のいずれか一つに記載の捜索装置。
【請求項３０】
前記報知手段は、前記複数の区画のうち前記捜索対象が常駐している常住区画に設けられた検知装置から検知情報が通知された場合、その旨および捜索開始を、前記捜索対象を捜索する者へ報知し、捜索開始後に、前記常住区画に設けられた前記検知装置から検知情報が再び通知された場合、前記捜索対象が常住区画に戻ってきたものとし、その旨および捜索終了を、前記捜索対象を捜索する者へ報知することを特徴とする請求項２９に記載の捜索装置。
【発明の詳細な説明】
【技術分野】
【０００１】
本発明は、ペット、幼児、老人等の捜索に用いて好適な捜索プログラム、捜索方法および捜索装置に関するものであり、特に、捜索対象の捜索効率を高め、ひいては発見率を高めることができる捜索プログラム、捜索方法および捜索装置に関するものである。
【背景技術】
【０００２】
従来より、猫や犬等は、ペットとして飼われており、飼い主に癒しのひとときを提供したり、精神的な支えとなったりという具合に家族同然の存在とされている。また、近時では、空前のペットブームを背景として、ペットを飼う家庭が急増している。
【０００３】
【特許文献１】特開２００１−３３３４１９号公報
【発明の開示】
【発明が解決しようとする課題】
【０００４】
ところで、従来においては、ペットが家屋や敷地の外に脱走するという状況がよく発生する。たいていの場合、ペットの帰巣本能により、数時間後（または数日後）に、飼い主の元に戻ってくるのでさほど心配はいらない。
【０００５】
しかしながら、ペットは、帰巣本能があるといえども、不測の事態の発生や帰巣ルートの忘却により、飼い主の元に戻ることができなくなり、迷いペットとなってしまう。かかる状況は、迷いペットを捜索するためにあちらこちらの電柱に貼られた捜索チラシを見るまでもない。
【０００６】
ここで、飼い主は、自身の足を使って、家屋の周辺を捜索したり、上記捜索チラシを張り出し他人からの情報提供による公開捜索をすることになる。
【０００７】
しかしながら、従来では、飼い主がペットの脱走に気づいた時点で、実際に脱走してからかなりの時間が経過している場合が多く、ペットの発見率を低下させる要因の一つとされている。
【０００８】
ペットの発見率は、ペットが脱走してから捜索を開始するまでの時間（以下、捜索開始時間という）に反比例する。すなわち、捜索開始時間が短くペットが家屋の近辺をうろうろしている間に捜索を開始すれば、発見率が高まる。捜索開始時間が長くなると、ペットが家屋からどんどん離れていくことになり、発見率が著しく低下する。
【０００９】
また、車社会の現代においては、迷いペットは、車にはねられる危険にさらされることになる。
【００１０】
さらに、飼い主は、人海戦術により、家屋の周囲で名前を叫びながら、目視でペットを捜索するが、ペットが弱って呼びかけに反応できない場合や、物陰に隠れている場合には、ペットを発見することができない。すなわち、従来では、ペットの捜索効率が悪いのである。
【００１１】
本発明は、上記に鑑みてなされたものであって、捜索対象の捜索効率を高め、ひいては発見率を高めることができる捜索プログラム、捜索方法および捜索装置を提供することを目的とする。
【課題を解決するための手段】
【００１２】
上述した課題を解決し、目的を達成するために、本発明は、コンピュータに、捜索対象に取り付けられた電子タグを介して該捜索対象を検知する検知装置から検知情報が通知されたか否かを監視する検知監視工程と、前記検知情報が通知された場合、その旨を前記捜索対象を捜索する者へ報知する報知工程と、を実行させるための捜索プログラムである。
【００１３】
本発明によれば、捜索対象に取り付けられた電子タグを介して該捜索対象を検知する検知装置から検知情報が通知されたか否かを監視し、検知情報が通知された場合、その旨を捜索対象を捜索する者へ報知することとしたので、捜索対象がいなくなってから極めて早い段階で捜索を開始することができるため、捜索対象の捜索効率を高め、ひいては発見率を高めることができる。
【００１４】
また、本発明は、上記発明において、前記報知工程では、前記その旨を前記捜索対象を捜索する者が携帯する携帯端末を介して捜索する者へ報知することを特徴とする。
【００１５】
本発明によれば、検知情報が通知された旨を捜索対象を捜索する者が携帯する携帯端末を介して捜索する者へ報知することとしたので、時間や場所に関わらす迅速に捜索を開始することができる。
【００１６】
また、本発明は、上記発明において、前記報知工程では、前記検知情報に基づいて、前記捜索対象が検知された場所、日時を報知することを特徴とする。
【００１７】
本発明によれば、検知情報に基づいて、捜索対象が検知された場所、日時を報知することとしたので、捜索に必要な情報が捜索する者に伝わり、捜索の初期動作を的確に行うことができる。
【００１８】
また、本発明は、上記発明において、前記コンピュータに、前記捜索対象の特徴を含む捜索情報を予め格納する格納工程と、前記検知情報が通知された場合、前記捜索情報に基づいて、公開捜索を行うための捜索チラシを印刷する捜索チラシ印刷工程と、を実行させることを特徴とする。
【００１９】
本発明によれば、捜索対象の特徴を含む捜索情報を予め格納し、検知情報が通知された場合、捜索情報に基づいて、公開捜索を行うための捜索チラシを印刷することとしたので、捜索対象がいなくなってから迅速に捜索チラシによる公開捜索を行え、早期の発見に資することができる。
【００２０】
また、本発明は、上記発明において、前記コンピュータに、前記捜索対象の特徴を含む捜索情報を予め格納する格納工程と、前記検知情報が通知された場合、公衆に閲覧されるＷｅｂサイトを介して、前記捜索情報を公開するＷｅｂサイト公開工程と、を実行させることを特徴とする。
【００２１】
本発明によれば、捜索対象の特徴を含む捜索情報を予め格納し、検知情報が通知された場合、公衆に閲覧されるＷｅｂサイトを介して、捜索情報を公開することとしたので、捜索対象がいなくなってから迅速にＷｅｂサイトによる公開捜索を行え、早期の発見に資することができる。
【００２２】
また、本発明は、上記発明において、前記検知装置には、前記捜索対象を検知した場合に、その旨を音により周囲に報知する検知装置報知部が備えられていることを特徴とする。
【００２３】
本発明によれば、捜索対象を検知した場合に、その旨を音により周囲に報知する検知装置報知部を検知装置に備えたこととしたので、捜索をする者を迅速に検知場所に誘導することができる。
【００２４】
また、本発明は、上記発明において、前記電子タグには、前記捜索対象に関する捜索対象情報が記憶されており、該捜索対象情報は、該電子タグから、近傍の前記携帯端末にリードされることを特徴とする。
【００２５】
本発明によれば、電子タグに、捜索対象に関する捜索対象情報を記憶させ、該捜索対象情報が、該電子タグから、近傍の携帯端末にリードされることとしたので、携帯端末を使って、捜索対象を捜索することができ、さらに捜索対象の発見率を高めることができる。
【００２６】
また、本発明は、上記発明において、前記捜索対象には、前記電子タグの他に、前記検知装置により検知された場合にその旨を音により周囲に報知する捜索対象報知部が取り付けられていることを特徴とする。
【００２７】
本発明によれば、電子タグの他に、検知装置により検知された場合にその旨を音により周囲に報知する捜索対象報知部を捜索対象に取り付けることとしたので、捜索をする者を迅速に捜索対象に誘導することができる。
【００２８】
また、本発明は、上記発明において、前記検知装置は、捜索領域が分割された複数の区画にそれぞれ設けられていることを特徴とする。
【００２９】
本発明によれば、検知装置を、捜索領域が分割された複数の区画にそれぞれ設けることとしたので、区画単位で絞り込み捜索が可能となり、捜索効率や捜索対象の発見率をさらに高めることができる。
【００３０】
また、本発明は、上記発明において、前記報知工程では、前記複数の区画のうち前記捜索対象が常駐している常住区画に設けられた検知装置から検知情報が通知された場合、その旨および捜索開始を、前記捜索対象を捜索する者へ報知し、捜索開始後に、前記常住区画に設けられた前記検知装置から検知情報が再び通知された場合、前記捜索対象が常住区画に戻ってきたものとし、その旨および捜索終了を、前記捜索対象を捜索する者へ報知することを特徴とする。
【００３１】
本発明によれば、複数の区画のうち捜索対象が常駐している常住区画に設けられた検知装置から検知情報が通知された場合、その旨および捜索開始を、捜索対象を捜索する者へ報知し、捜索開始後に、常住区画に設けられた検知装置から検知情報が再び通知された場合、捜索対象が常住区画に戻ってきたものとし、その旨および捜索終了を、捜索対象を捜索する者へ報知することとしたので、捜索対象が戻ってきたにもかかわらず、捜索を継続するという無駄を回避することができる。
【００３２】
また、本発明は、捜索対象に取り付けられた電子タグを介して該捜索対象を検知する検知装置から検知情報が通知されたか否かを監視する検知監視工程と、前記検知情報が通知された場合、その旨を前記捜索対象を捜索する者へ報知する報知工程と、を含むことを特徴とする。
【００３３】
本発明によれば、捜索対象に取り付けられた電子タグを介して該捜索対象を検知する検知装置から検知情報が通知されたか否かを監視し、検知情報が通知された場合、その旨を捜索対象を捜索する者へ報知することとしたので、捜索対象がいなくなってから極めて早い段階で捜索を開始することができるため、捜索対象の捜索効率を高め、ひいては発見率を高めることができる。
【００３４】
また、本発明は、上記発明において、前記報知工程では、前記その旨を前記捜索対象を捜索する者が携帯する携帯端末を介して捜索する者へ報知することを特徴とする。
【００３５】
本発明によれば、検知情報が通知された旨を捜索対象を捜索する者が携帯する携帯端末を介して捜索する者へ報知することとしたので、時間や場所に関わらす迅速に捜索を開始することができる。
【００３６】
また、本発明は、上記発明において、前記報知工程では、前記検知情報に基づいて、前記捜索対象が検知された場所、日時を報知することを特徴とする。
【００３７】
本発明によれば、検知情報に基づいて、捜索対象が検知された場所、日時を報知することとしたので、捜索に必要な情報が捜索する者に伝わり、捜索の初期動作を的確に行うことができる。
【００３８】
また、本発明は、上記発明において、前記捜索対象の特徴を含む捜索情報を予め格納する格納工程と、前記検知情報が通知された場合、前記捜索情報に基づいて、公開捜索を行うための捜索チラシを印刷する捜索チラシ印刷工程と、を含むことを特徴とする。
【００３９】
本発明によれば、捜索対象の特徴を含む捜索情報を予め格納し、検知情報が通知された場合、捜索情報に基づいて、公開捜索を行うための捜索チラシを印刷することとしたので、捜索対象がいなくなってから迅速に捜索チラシによる公開捜索を行え、早期の発見に資することができる。
【００４０】
また、本発明は、上記発明において、前記捜索対象の特徴を含む捜索情報を予め格納する格納工程と、前記検知情報が通知された場合、公衆に閲覧されるＷｅｂサイトを介して、前記捜索情報を公開するＷｅｂサイト公開工程と、を含むことを特徴とする。
【００４１】
本発明によれば、捜索対象の特徴を含む捜索情報を予め格納し、検知情報が通知された場合、公衆に閲覧されるＷｅｂサイトを介して、捜索情報を公開することとしたので、捜索対象がいなくなってから迅速にＷｅｂサイトによる公開捜索を行え、早期の発見に資することができる。
【００４２】
また、本発明は、上記発明において、前記検知装置には、前記捜索対象を検知した場合に、その旨を音により周囲に報知する検知装置報知部が備えられていることを特徴とする。
【００４３】
本発明によれば、捜索対象を検知した場合に、その旨を音により周囲に報知する検知装置報知部を検知装置に備えたこととしたので、捜索をする者を迅速に検知場所に誘導することができる。
【００４４】
また、本発明は、上記発明において、前記電子タグには、前記捜索対象に関する捜索対象情報が記憶されており、該捜索対象情報は、該電子タグから、近傍の前記携帯端末にリードされることを特徴とする。
【００４５】
本発明によれば、電子タグに、捜索対象に関する捜索対象情報を記憶させ、該捜索対象情報が、該電子タグから、近傍の携帯端末にリードされることとしたので、携帯端末を使って、捜索対象を捜索することができ、さらに捜索対象の発見率を高めることができる。
【００４６】
また、本発明は、上記発明において、前記捜索対象には、前記電子タグの他に、前記検知装置により検知された場合にその旨を音により周囲に報知する捜索対象報知部が取り付けられていることを特徴とする。
【００４７】
本発明によれば、電子タグの他に、検知装置により検知された場合にその旨を音により周囲に報知する捜索対象報知部を捜索対象に取り付けることとしたので、捜索をする者を迅速に捜索対象に誘導することができる。
【００４８】
また、本発明は、上記発明において、前記検知装置は、捜索領域が分割された複数の区画にそれぞれ設けられていることを特徴とする。
【００４９】
本発明によれば、検知装置を、捜索領域が分割された複数の区画にそれぞれ設けることとしたので、区画単位で絞り込み捜索が可能となり、捜索効率や捜索対象の発見率をさらに高めることができる。
【００５０】
また、本発明は、上記発明において、前記報知工程では、前記複数の区画のうち前記捜索対象が常駐している常住区画に設けられた検知装置から検知情報が通知された場合、その旨および捜索開始を、前記捜索対象を捜索する者へ報知し、捜索開始後に、前記常住区画に設けられた前記検知装置から検知情報が再び通知された場合、前記捜索対象が常住区画に戻ってきたものとし、その旨および捜索終了を、前記捜索対象を捜索する者へ報知することを特徴とする。
【００５１】
本発明によれば、複数の区画のうち捜索対象が常駐している常住区画に設けられた検知装置から検知情報が通知された場合、その旨および捜索開始を、捜索対象を捜索する者へ報知し、捜索開始後に、常住区画に設けられた検知装置から検知情報が再び通知された場合、捜索対象が常住区画に戻ってきたものとし、その旨および捜索終了を、捜索対象を捜索する者へ報知することとしたので、捜索対象が戻ってきたにもかかわらず、捜索を継続するという無駄を回避することができる。
【００５２】
また、本発明は、捜索対象に取り付けられた電子タグを介して該捜索対象を検知する検知装置から検知情報が通知されたか否かを監視する検知監視手段と、前記検知情報が通知された場合、その旨を前記捜索対象を捜索する者へ報知する報知手段と、を備えたことを特徴とする。
【００５３】
本発明によれば、捜索対象に取り付けられた電子タグを介して該捜索対象を検知する検知装置から検知情報が通知されたか否かを監視し、検知情報が通知された場合、その旨を捜索対象を捜索する者へ報知することとしたので、捜索対象がいなくなってから極めて早い段階で捜索を開始することができるため、捜索対象の捜索効率を高め、ひいては発見率を高めることができる。
【００５４】
また、本発明は、上記発明において、前記報知手段は、前記その旨を前記捜索対象を捜索する者が携帯する携帯端末を介して捜索する者へ報知することを特徴とする。
【００５５】
本発明によれば、検知情報が通知された旨を捜索対象を捜索する者が携帯する携帯端末を介して捜索する者へ報知することとしたので、時間や場所に関わらす迅速に捜索を開始することができる。
【００５６】
また、本発明は、上記発明において、前記報知手段は、前記検知情報に基づいて、前記捜索対象が検知された場所、日時を報知することを特徴とする。
【００５７】
本発明によれば、検知情報に基づいて、捜索対象が検知された場所、日時を報知することとしたので、捜索に必要な情報が捜索する者に伝わり、捜索の初期動作を的確に行うことができる。
【００５８】
また、本発明は、上記発明において、前記捜索対象の特徴を備えた捜索情報を予め格納する格納手段と、前記検知情報が通知された場合、前記捜索情報に基づいて、公開捜索を行うための捜索チラシを印刷する捜索チラシ印刷手段と、を備えたことを特徴とする。
【００５９】
本発明によれば、捜索対象の特徴を含む捜索情報を予め格納し、検知情報が通知された場合、捜索情報に基づいて、公開捜索を行うための捜索チラシを印刷することとしたので、捜索対象がいなくなってから迅速に捜索チラシによる公開捜索を行え、早期の発見に資することができる。
【００６０】
また、本発明は、上記発明において、前記捜索対象の特徴を備えた捜索情報を予め格納する格納手段と、前記検知情報が通知された場合、公衆に閲覧されるＷｅｂサイトを介して、前記捜索情報を公開するＷｅｂサイト公開手段と、を備えたことを特徴とする。
【００６１】
本発明によれば、捜索対象の特徴を含む捜索情報を予め格納し、検知情報が通知された場合、公衆に閲覧されるＷｅｂサイトを介して、捜索情報を公開することとしたので、捜索対象がいなくなってから迅速にＷｅｂサイトによる公開捜索を行え、早期の発見に資することができる。
【００６２】
また、本発明は、上記発明において、前記検知装置には、前記捜索対象を検知した場合に、その旨を音により周囲に報知する検知装置報知部が備えられていることを特徴とする。
【００６３】
本発明によれば、捜索対象を検知した場合に、その旨を音により周囲に報知する検知装置報知部を検知装置に備えたこととしたので、捜索をする者を迅速に検知場所に誘導することができる。
【００６４】
また、本発明は、上記発明において、前記電子タグには、前記捜索対象に関する捜索対象情報が記憶されており、該捜索対象情報は、該電子タグから、近傍の前記携帯端末にリードされることを特徴とする。
【００６５】
本発明によれば、電子タグに、捜索対象に関する捜索対象情報を記憶させ、該捜索対象情報が、該電子タグから、近傍の携帯端末にリードされることとしたので、携帯端末を使って、捜索対象を捜索することができ、さらに捜索対象の発見率を高めることができる。
【００６６】
また、本発明は、上記発明において、前記捜索対象には、前記電子タグの他に、前記検知装置により検知された場合にその旨を音により周囲に報知する捜索対象報知部が取り付けられていることを特徴とする。
【００６７】
本発明によれば、電子タグの他に、検知装置により検知された場合にその旨を音により周囲に報知する捜索対象報知部を捜索対象に取り付けることとしたので、捜索をする者を迅速に捜索対象に誘導することができる。
【００６８】
また、本発明は、上記発明において、前記検知装置は、捜索領域が分割された複数の区画にそれぞれ設けられていることを特徴とする。
【００６９】
本発明によれば、検知装置を、捜索領域が分割された複数の区画にそれぞれ設けることとしたので、区画単位で絞り込み捜索が可能となり、捜索効率や捜索対象の発見率をさらに高めることができる。
【００７０】
また、本発明は、上記発明において、前記報知手段は、前記複数の区画のうち前記捜索対象が常駐している常住区画に設けられた検知装置から検知情報が通知された場合、その旨および捜索開始を、前記捜索対象を捜索する者へ報知し、捜索開始後に、前記常住区画に設けられた前記検知装置から検知情報が再び通知された場合、前記捜索対象が常住区画に戻ってきたものとし、その旨および捜索終了を、前記捜索対象を捜索する者へ報知することを特徴とする。
【００７１】
本発明によれば、複数の区画のうち捜索対象が常駐している常住区画に設けられた検知装置から検知情報が通知された場合、その旨および捜索開始を、捜索対象を捜索する者へ報知し、捜索開始後に、常住区画に設けられた検知装置から検知情報が再び通知された場合、捜索対象が常住区画に戻ってきたものとし、その旨および捜索終了を、捜索対象を捜索する者へ報知することとしたので、捜索対象が戻ってきたにもかかわらず、捜索を継続するという無駄を回避することができる。
【発明の効果】
【００７２】
本発明によれば、捜索対象に取り付けられた電子タグを介して該捜索対象を検知する検知装置から検知情報が通知されたか否かを監視し、検知情報が通知された場合、その旨を捜索対象を捜索する者へ報知することとしたので、捜索対象がいなくなってから極めて早い段階で捜索を開始することができるため、捜索対象の捜索効率を高め、ひいては発見率を高めることができるという効果を奏する。
【００７３】
また、本発明によれば、検知情報が通知された旨を捜索対象を捜索する者が携帯する携帯端末を介して捜索する者へ報知することとしたので、時間や場所に関わらす迅速に捜索を開始することができるという効果を奏する。
【００７４】
また、本発明によれば、検知情報に基づいて、捜索対象が検知された場所、日時を報知することとしたので、捜索に必要な情報が捜索する者に伝わり、捜索の初期動作を的確に行うことができるという効果を奏する。
【００７５】
また、本発明によれば、捜索対象の特徴を含む捜索情報を予め格納し、検知情報が通知された場合、捜索情報に基づいて、公開捜索を行うための捜索チラシを印刷することとしたので、捜索対象がいなくなってから迅速に捜索チラシによる公開捜索を行え、早期の発見に資することができるという効果を奏する。
【００７６】
また、本発明によれば、捜索対象の特徴を含む捜索情報を予め格納し、検知情報が通知された場合、公衆に閲覧されるＷｅｂサイトを介して、捜索情報を公開することとしたので、捜索対象がいなくなってから迅速にＷｅｂサイトによる公開捜索を行え、早期の発見に資することができるという効果を奏する。
【００７７】
また、本発明によれば、捜索対象を検知した場合に、その旨を音により周囲に報知する検知装置報知部を検知装置に備えたこととしたので、捜索をする者を迅速に検知場所に誘導することができるという効果を奏する。
【００７８】
また、本発明によれば、電子タグに、捜索対象に関する捜索対象情報を記憶させ、該捜索対象情報が、該電子タグから、近傍の携帯端末にリードされることとしたので、携帯端末を使って、捜索対象を捜索することができ、さらに捜索対象の発見率を高めることができるという効果を奏する。
【００７９】
また、本発明によれば、電子タグの他に、検知装置により検知された場合にその旨を音により周囲に報知する捜索対象報知部を捜索対象に取り付けることとしたので、捜索をする者を迅速に捜索対象に誘導することができるという効果を奏する。
【００８０】
また、本発明によれば、検知装置を、捜索領域が分割された複数の区画にそれぞれ設けることとしたので、区画単位で絞り込み捜索が可能となり、捜索効率や捜索対象の発見率をさらに高めることができるという効果を奏する。
【００８１】
また、本発明によれば、複数の区画のうち捜索対象が常駐している常住区画に設けられた検知装置から検知情報が通知された場合、その旨および捜索開始を、捜索対象を捜索する者へ報知し、捜索開始後に、常住区画に設けられた検知装置から検知情報が再び通知された場合、捜索対象が常住区画に戻ってきたものとし、その旨および捜索終了を、捜索対象を捜索する者へ報知することとしたので、捜索対象が戻ってきたにもかかわらず、捜索を継続するという無駄を回避することができるという効果を奏する。
【発明を実施するための最良の形態】
【００８２】
以下に、本発明にかかる捜索プログラム、捜索方法および捜索装置の一実施例を図面に基づいて詳細に説明する。なお、この一実施例によりこの発明が限定されるものではない。
【実施例】
【００８３】
図１は、本発明にかかる一実施例の概略構成を示すブロック図である。図２は、同一実施例の電気的構成を示すブロック図である。図１および図２においては、対応する部分には同一の符号が付けられている。
【００８４】
図１において、区画１０1〜１０9は、「東京都品川区１丁目１番１号」〜「東京都品川区１丁目１番９号」に対応しており、ある地域が９つに分割された各領域である。区画１０1において、家屋２０では、ペット３０（猫）が飼われている。このペット３０の首には、首輪（図示略）が取り付けられている。
【００８５】
ＩＣ（Integrated Circuit）タグ４０は、非接触で情報のリードが可能な電子タグの一種であり、特殊印刷、埋め込み、接着等により、ペット３０の首輪（図示略）に取り付けられている。このＩＣタグ４０は、ペット３０が家屋２０（区画１０1）から区画１０2〜１０9へ脱走した場合に、ペット３０の捜索に用いられる。すなわち、区画１０2〜１０9は、ペット３０が脱走した場合の捜索領域である。
【００８６】
ここで、ＩＣタグ４０は、図３に示したように、アンテナ４１、メモリ４２およびＩＣ４３から構成されている。アンテナ４１は、後述する検知装置５０1〜５０9（図１および図２参照）の各ＩＣタグリーダからの誘導電磁界中に置かれることにより発生する起電力をメモリ４２およびＩＣ４３へ供給する。メモリ４２には、捜索情報４２ａが記憶されて
いる。
【００８７】
捜索情報４２ａは、ペット３０（図１および図２参照）を捜索する場合に用いられる情報であり、タイトル（迷いネコ）、ペット名前（タマ）、飼い主（日本太郎）、電話番号（03-1111-2222）の情報から構成されている。この捜索情報４２ａは、検知装置５０1〜５０9（図１および図２参照）の各ＩＣタグリーダや、後述する携帯端末１３０のＩＣタグリーダ１３８によりリードされる。
【００８８】
図１に戻り、出入口２１は、家屋２０の玄関や窓等であり、ペット３０の通り道となりうる部分である。検知装置５０1は、出入口２１の近傍に設けられており、ペット３０が近傍に位置した場合にＩＣタグ４０を介してペット３０を検知し、検知したことを、後述する捜索装置６０へ無線を介して通知する機能を備えている。
【００８９】
ここで、検知装置５０1は、図４に示したように、制御部５１1、記憶部５２1、ＩＣタグリーダ５３1、電子ブザー５４1および無線通信部５５1から構成されており、ＩＤとして「１」（図１参照）が付与されている。このＩＤは、検知装置５０1を識別するための識別子である。制御部５１1は、ＩＣタグ４０からの捜索情報４２ａ（図３参照）をリードする制御や、ペット３０を検知した旨を通知するための制御、電子ブザー５４1を駆動するための制御等を行う。
【００９０】
記憶部５２1には、検知装置５０1を識別するためのＩＤ５２1a（＝１）が記憶されている。ＩＣタグリーダ５３1は、非接触でＩＣタグ４０から捜索情報４２ａをリードする機能を備えている。電子ブザー５４1は、ＩＣタグ４０を介してペット３０を検知した場合に、捜索中の飼い主に検知場所を音により報知する機能を備えている。無線通信部５５1は、無線を介して捜索装置６０（図１参照）との間で通信を制御する機能を備えている。
【００９１】
図１に戻り、検知装置５０2〜５０9は、区画１０2〜１０9に設けられており、検知装置５０1と同様にして、家屋２０（区画１０1）から脱走したペット３０が近傍に位置した場合にＩＣタグ４０を介してペット３０を検知し、当該区画で検知したことを、後述する捜索装置６０へ無線を介して通知する機能を備えている。
【００９２】
これらの検知装置５０2〜５０9には、ＩＤとして「２」〜「９」がそれぞれ付与されている。また、これらの検知装置５０2〜５０9は、図４に示した検知装置５０1と同一の構成とされており、制御部、記憶部、ＩＣタグリーダ、電子ブザーおよび無線通信部から構成されている。
【００９３】
捜索装置６０は、区画１０1における家屋２０に設けられており、検知装置５０1〜５０9からの通知に基づいて、家屋２０（区画１０1）から脱走したペット３０の捜索を支援するための装置である。
【００９４】
ここで、捜索装置６０は、図２に示したように、制御部６１、記憶部６２、入力部６３、表示部６４、無線通信部６５、タイマ６６、印刷部６７および通信部６８から構成されている。制御部６１は、ペット３０の捜索状況を管理したり、ペット３０の脱走を飼い主へ報知する機能等を備えている。記憶部６２には、検知場所テーブル６２ａ、捜索情報６２ｂおよび捜索ログ情報６２ｃが記憶されている。
【００９５】
図５に示した検知場所テーブル６２ａは、「ＩＤ」および「検知場所」からなるフィールドを備えており、検知装置５０1〜５０9に対応する検知場所を表すテーブルである。「ＩＤ」は、検知装置５０1〜５０9のそれぞれに付与された識別子であり、「１」〜「９」である。「検知場所」は、検知装置５０1〜５０9が設けられた場所であって、ペット３０を検知した場所であり、図１に示した「東京都品川区品川１丁目１番１号」〜「東京都品川区品川１丁目１番９号」である。
【００９６】
図６に示した捜索情報６２ｂは、ペット３０が脱走する前に予め記憶された情報であり、後述する捜索チラシ６７ａや捜索情報Ｗｅｂサイト１１０による公開捜索に用いられる情報である。具体的には、捜索情報６２ｂは、「画像ファイル」、「タイトル」、「特徴」、「体長」、「体重」、「ペット名前」、「性別」、「飼い主連絡先」等のフィールドを備えている。
【００９７】
「画像ファイル」は、ペット３０を撮影した画像のファイルである。「タイトル」は、捜索チラシ６７ａや捜索情報Ｗｅｂサイト１１０に掲載する場合のタイトル（迷いネコを捜しています。等）に関する情報である。「特徴」は、ペット３０の特徴（毛並み、色等）に関する情報である。
【００９８】
「体長」は、ペット３０の体長に関する情報である。「体重」は、ペット３０の体重に関する情報である。「ペット名前」は、ペット３０の名前に関する情報である。「性別」は、ペット３０の性別に関する情報である。「飼い主連絡先」は、ペット３０の飼い主の連絡先（住所、氏名、固定電話番号、携帯電話番号、電子メールアドレス）に関する情報である。
【００９９】
図７に示した捜索ログ情報６２ｃは、ペット３０を捜索した場合の検知履歴を表すログ情報であり、「検知日時」、「ＩＤ」、「検知場所」、「ペット名前」からなるフィールドを備えている。「検知日時」は、ペット３０が検知された日時を表す情報である。
【０１００】
「ＩＤ」は、ペット３０を検知した検知装置（検知装置５０1〜５０9のいずれか一つ）を識別するための識別子であり、検知場所テーブル６２ａ（図５参照）の「ＩＤ」に対応している。「検知場所」は、ペット３０が検知された場所であり、検知場所テーブル６２ａ（図５参照）の「検知場所」に対応している。「ペット名前」は、ペット３０の名前であり、捜索情報４２ａ（図３参照）のペット名前に対応している。
【０１０１】
図２に戻り、入力部６３は、キーボードやマウス等である。表示部６４は、ＬＣＤ（Liquid Crystal Display）やＣＲＴ（Cathode Ray Tube）等である。無線通信部６５は、無線を介して、検知装置５０1〜５０9との間の通信を制御する。タイマ６６は、制御部６１へ時刻情報を提供する。
【０１０２】
印刷部６７は、ペット３０が脱走してから所定時間経過しても家屋２０に戻らない場合、公開捜索に用いられる捜索チラシ６７ａ（図８参照）を印刷する機能を備えている。図８に示した捜索チラシ６７ａには、ペット３０の画像、特徴等に関する捜索情報６２ｂ（図６参照）と、脱走日時および脱走場所の情報とが掲載されている。
【０１０３】
図２に戻り、通信部６８は、ネットワーク７０に接続されており、所定の通信プロトコルに従って通信を制御する。捜索装置８０1〜８０nは、その他の探索装置であり、ネットワーク７０に接続されている。クライアント９０1〜９０mは、一般ユーザにより操作され、ネットワーク７０に接続されている。これらのクライアント９０1〜９０mは、後述する捜索情報Ｗｅｂサイト１１０を閲覧可能なコンピュータ装置である。
【０１０４】
捜索情報Ｗｅｂサーバ１００は、図９に示した捜索情報Ｗｅｂサイト１１０をネットワーク７０を介して、クライアント９０1〜９０mへ公開し、飼い主以外の者の協力を得て、ペットの捜索を支援するためのサーバである。
【０１０５】
図９に示した捜索情報Ｗｅｂサイト１１０には、複数の飼い主により登録された捜索情報１１１1、捜索情報１１１2、・・・が掲載されている。捜索情報１１１1は、捜索チラシ６７ａ（図８参照）に掲載された情報と同様の情報であり、ペット３０の画像、特徴等に関する捜索情報６２ｂ（図６参照）と、脱走日時および脱走場所の情報とから構成されている。
【０１０６】
図２に戻り、無線基地局１２０は、ネットワーク７０に接続されており、無線を介して携帯端末１３０（図１参照）を収容している。この携帯端末１３０は、ペット３０の飼い主に携帯され、携帯電話端末、ＰＨＳ（Personal Handyphone System）端末、ＰＤＡ（Personal Digital Assistant）等である。
【０１０７】
この携帯端末１３０は、通話機能、電子メール送受信機能、ＩＣタグリード機能等を備えており、ペット３０を捜索する場合等に用いられる。携帯端末１３０において、制御部１３１は、各部を制御する。この制御部１３１の動作の詳細については、後述する。記憶部１３２は、制御部１３１で用いられるコンピュータプログラムや各種情報を記憶する。表示部１３３は、ＬＣＤであり、各種情報を表示する。
【０１０８】
入力部１３４は、テンキー、ファンクションキー等である。スピーカ１３５は、音声やアラーム音等を発する。マイク１３６は、通話時に用いられ、音声を電気信号に変換する。
【０１０９】
無線通信部１３７は、無線を介して、無線基地局１２０およびネットワーク７０に接続されており、所定の通信プロトコルに従って、通信を制御する。ＩＣタグリーダ１３８は、ペット３０に取り付けられたＩＣタグ４０から捜索情報４２ａ（図３参照）を非接触でリードする。
【０１１０】
つぎに、一実施例の動作について、図１０〜図１６に示したフローチャート、図１７〜図１９を参照しつつ説明する。図１０は、図１および図２に示した捜索装置６０の動作を説明するフローチャートである。図１５は、図１および図２に示した検知装置５０1〜５０9の動作を説明するフローチャートである。図１６は、図１および図２に示した携帯端末１３０の動作を説明するフローチャートである。
【０１１１】
ここで、図１に示したペット３０は、家屋２０で寝ているものとする。この状態で、図１０に示したステップＳＡ１では、捜索装置６０の制御部６１（図２参照）は、検知装置５０1より、ペット３０を検知した場合のＩＤ＝１が通知されたか否かを判断し、この場合、判断結果を「Ｎｏ」として、同判断を繰り返す。
【０１１２】
また、図１５に示したステップＳＦ１では、検知装置５０1の制御部５１1（図４参照）は、ペット３０に取り付けられたＩＣタグ４０をリードしたか否かを判断し、この場合、判断結果を「Ｎｏ」として、同判断を繰り返す。
【０１１３】
また、図１５に示したステップＳＦ１では、他の検知装置５０2〜５０9の制御部も、ペット３０に取り付けられたＩＣタグ４０をリードしたか否かを判断し、この場合、判断結果を「Ｎｏ」として、同判断を繰り返す。
【０１１４】
また、図１６に示したステップＳＧ１では、携帯端末１３０の制御部１３１は、ペット３０に取り付けられたＩＣタグ４０をリードしたか否かを判断し、この場合、判断結果を「Ｎｏ」として、同判断を繰り返す。
【０１１５】
そして、家屋２０内で目を覚ましたペット３０が、出入口２１より外へ脱走し、検知装置５０1の近傍に位置すると、検知装置５０1のＩＣタグリーダ５３1（図４参照）は、ペット３０に取り付けられたＩＣタグ４０から捜索情報４２ａ（図３参照）をリードする。
【０１１６】
これにより、検知装置５０1の制御部５１1は、図１５に示したステップＳＦ１の判断結果を「Ｙｅｓ」とする。ステップＳＦ２では、制御部５１1は、ＩＤ＝１および捜索情報４２ａ（図３参照）を無線を介して捜索装置６０へ通知する。ステップＳＦ３では、制御部５１1は、脱走したことを飼い主に報知するために、所定時間、電子ブザー５４1を鳴動させた後、ステップＳＦ１の判断を繰り返す。
【０１１７】
そして、検知装置５０1からＩＤ＝１および捜索情報４２ａが通知されると、捜索装置６０の制御部６１（図２参照）は、図１０に示したステップＳＡ１の判断結果を「Ｙｅｓ」とする。ステップＳＡ２では、制御部６１は、ペット３０の捜索を開始するための捜索開始処理を実行する。
【０１１８】
具体的には、図１１に示したステップＳＢ１では、制御部６１は、ペット３０が脱走したと判定する。ステップＳＢ２では、制御部６１は、検知装置５０1から通知されたＩＤ＝１に対応する捜索ログ情報を作成する。すなわち、制御部６１は、ＩＤ＝１をキーとして、検知場所テーブル６２ａ（図５参照）から検知場所（東京都品川区品川１丁目１番１号）の情報を取得する。
【０１１９】
つぎに、制御部６１は、ＩＤ＝１が通知された日時を検知日時とし、この検知日時、ＩＤ＝１、検知場所テーブル６２ａから取得した検知場所（東京都品川区品川１丁目１番１号）、捜索情報４２ａに基づくペット名前（タマ）を捜索ログ情報として作成する。
【０１２０】
ステップＳＢ３では、制御部６１は、ステップＳＢ２で作成された捜索ログ情報（図７参照）を記憶部６２に格納する。ステップＳＢ４では、制御部６１は、ステップＳＢ２で作成された捜索ログ情報に基づいて、図１７に示した捜索開始電子メール１４０を作成する。この捜索開始電子メール１４０は、飼い主に、ペット３０が脱走し、捜索を開始する旨、検知日時、検知場所、ペット名前（捜索情報４２ａ参照）を通知するための電子メールである。
【０１２１】
ステップＳＢ５では、制御部６１は、ネットワーク７０、無線基地局１２０を介して、飼い主に携帯された携帯端末１３０へ捜索開始電子メール１４０を送信する。捜索開始電子メール１４０は、携帯端末１３０に受信された後、表示部１３３に表示される。これにより、飼い主は、ペット３０が脱走したことを知るとともに、携帯端末１３０を使ってペット３０の捜索を開始する。すなわち、携帯端末１３０は、ペット３０が隠れていそうな場所に携帯端末１３０のＩＣタグリーダ１３８を近づけながら、ペット３０を捜索する。
【０１２２】
図１０に示したステップＳＡ３では、制御部６１は、ペット３０が脱走してから所定時間経過しかつ捜索が未公開であるか否かを判断し、この場合、判断結果を「Ｎｏ」とする。ステップＳＡ４では、制御部６１は、検知装置５０1〜５０9のうちいずれか一つの検知装置からＩＤが通知されたか否かを判断し、この場合、判断結果を「Ｎｏ」とする。
【０１２３】
ステップＳＡ８では、制御部６１は、飼い主が入力部６３を操作することにより、ペット３０の捜索を強制的に終了するための指示があるか否かを判断し、この場合、判断結果を「Ｎｏ」とする。以後、ステップＳＡ３、ステップＳＡ４またはステップＳＡ８の判断結果が「Ｙｅｓ」となるまで、上述した判断が行われる。
【０１２４】
そして、ペット３０が区画１０1から区画１０8へ移動し、検知装置５０8の近傍に位置すると、検知装置５０8は、ペット３０に取り付けられたＩＣタグ４０から捜索情報４２ａ（図３参照）をリードする。
【０１２５】
これにより、検知装置５０8は、図１５に示したステップＳＦ１の判断結果を「Ｙｅｓ」とする。ステップＳＦ２では、検知装置５０8は、ＩＤ＝８および捜索情報４２ａ（図３参照）を無線を介して捜索装置６０へ通知する。ステップＳＦ３では、検知装置５０8は、ペット３０を検知したことを飼い主に報知するために、所定時間、電子ブザー（図示略）を鳴動させた後、ステップＳＦ１の判断を繰り返す。ここで、上記電子ブザーの音を聞きつけた場合、飼い主は、区画１０8に出向き、ペット３０を捜索する。
【０１２６】
そして、検知装置５０8からＩＤ＝８および捜索情報４２ａが通知されると、捜索装置６０の制御部６１（図２参照）は、図１０に示したステップＳＡ４の判断結果を「Ｙｅｓ」とする。ステップＳＡ５では、制御部６１は、通知されたＩＤが１であるか否かを判断し、この場合、判断結果を「Ｎｏ」とする。ステップＳＡ６では、制御部６１は、ペット３０を捜索するための捜索処理を実行する。
【０１２７】
具体的には、図１２に示したステップＳＣ１では、制御部６１は、検知装置５０8から通知されたＩＤ＝８に対応する捜索ログ情報を作成する。すなわち、制御部６１は、ＩＤ＝８をキーとして、検知場所テーブル６２ａ（図５参照）から検知場所（東京都品川区品川１丁目１番８号）の情報を取得する。
【０１２８】
つぎに、制御部６１は、ＩＤ＝８が通知された日時を検知日時とし、この検知日時、ＩＤ＝８、検知場所テーブル６２ａから取得した検知場所（東京都品川区品川１丁目１番８号）、捜索情報４２ａに基づくペット名前（タマ）を捜索ログ情報として作成する。
【０１２９】
ステップＳＣ２では、制御部６１は、ステップＳＣ１で作成された捜索ログ情報（図７参照）を記憶部６２に格納する。ステップＳＣ３では、制御部６１は、ステップＳＣ１で作成された捜索ログ情報に基づいて、図１８に示した捜索電子メール１５０を作成する。この捜索電子メール１５０は、捜索中の飼い主に、ペット３０が検知された検知日時、検知場所、ペット名前（捜索情報４２ａ参照）を通知するための電子メールである。
【０１３０】
ステップＳＣ４では、制御部６１は、ネットワーク７０、無線基地局１２０を介して、飼い主に携帯された携帯端末１３０へ捜索電子メール１５０を送信する。捜索電子メール１５０は、携帯端末１３０に受信された後、表示部１３３に表示される。これにより、飼い主は、区画１０8へ移動し、携帯端末１３０を使ってペット３０の捜索を継続する。以後、上述した動作が繰り返される。
【０１３１】
そして、さらに、ペット３０が区画１０8から区画１０7へ移動し、検知装置５０7の近傍に位置すると、検知装置５０7は、ペット３０に取り付けられたＩＣタグ４０から捜索情報４２ａ（図３参照）をリードする。
【０１３２】
これにより、検知装置５０7は、図１５に示したステップＳＦ１の判断結果を「Ｙｅｓ」とする。ステップＳＦ２では、検知装置５０7は、ＩＤ＝７および捜索情報４２ａ（図３参照）を無線を介して捜索装置６０へ通知する。ステップＳＦ３では、検知装置５０7は、ペット３０を検知したことを飼い主に報知するために、所定時間、電子ブザー（図示略）を鳴動させた後、ステップＳＦ１の判断を繰り返す。ここで、上記電子ブザーの音を聞きつけた場合、飼い主は、区画１０7に出向き、ペット３０を捜索する。
【０１３３】
そして、検知装置５０7からＩＤ＝７および捜索情報４２ａが通知されると、捜索装置６０の制御部６１（図２参照）は、図１０に示したステップＳＡ４の判断結果を「Ｙｅｓ」とする。ステップＳＡ５では、制御部６１は、通知されたＩＤが１であるか否かを判断し、この場合、判断結果を「Ｎｏ」とする。ステップＳＡ６では、制御部６１は、ペット３０を捜索するための捜索処理を実行する。
【０１３４】
具体的には、図１２に示したステップＳＣ１では、制御部６１は、検知装置５０7から通知されたＩＤ＝７に対応する捜索ログ情報を作成する。すなわち、制御部６１は、ＩＤ＝７をキーとして、検知場所テーブル６２ａ（図５参照）から検知場所（東京都品川区品川１丁目１番７号）の情報を取得する。
【０１３５】
つぎに、制御部６１は、ＩＤ＝７が通知された日時を検知日時とし、この検知日時、ＩＤ＝７、検知場所テーブル６２ａから取得した検知場所（東京都品川区品川１丁目１番７号）、捜索情報４２ａに基づくペット名前（タマ）を捜索ログ情報として作成する。
【０１３６】
ステップＳＣ２では、制御部６１は、ステップＳＣ１で作成された捜索ログ情報（図７参照）を記憶部６２に格納する。ステップＳＣ３では、制御部６１は、ステップＳＣ１で作成された捜索ログ情報に基づいて、図１８に示した捜索電子メール１５０と同様の捜索電子メール（但し、検知日時は、2004/1/13 10:45、検知場所は、東京都品川区品川１丁目１番７号）を作成する。
【０１３７】
ステップＳＣ４では、制御部６１は、ネットワーク７０、無線基地局１２０を介して、飼い主に携帯された携帯端末１３０へ捜索電子メール（図示略）を送信する。捜索電子メール（図示略）は、携帯端末１３０に受信された後、表示部１３３に表示される。これにより、飼い主は、区画１０8から区画１０7へ移動し、携帯端末１３０を使ってペット３０の捜索を継続する。
【０１３８】
そして、区画１０7において、飼い主により、ペット３０が隠れている物陰に携帯端末１３０のＩＣタグリーダ１３８が近づけられると、ＩＣタグリーダ１３８は、ペット３０に取り付けられているＩＣタグ４０から捜索情報４２ａ（図３参照）をリードする。これにより、携帯端末１３０の制御部１３１は、図１６に示したステップＳＧ１の判断結果を「Ｙｅｓ」とする。
【０１３９】
ステップＳＧ２では、制御部１３１は、ＩＣタグ４０からリードされた捜索情報４２ａ（図３参照）を表示部１３３に表示する。ステップＳＧ３では、制御部１３１は、スピーカ１３５に、ペット３０を検知したことを報知するためのアラーム音を発生させた後、ステップＳＧ１の判断を行う。これにより、飼い主は、物陰に隠れていたペット３０を無事発見し、一連の捜索を終了する。
【０１４０】
なお、ペット３０の捜索が難航し、ペット３０が脱走してから所定時間が経過した場合には、捜索チラシ６７ａや捜索情報Ｗｅｂサイト１１０による公開捜索が実施される。すなわち、図１０に示したステップＳＡ３の判断結果が「Ｙｅｓ」になると、ステップＳＡ７では、捜索装置６０の制御部６１は、公開捜査処理を実行する。
【０１４１】
具体的には、図１３に示したステップＳＤ１では、制御部６１は、捜索情報６２ｂ（図６参照）、脱走日時、脱走場所の情報に基づいて、印刷部６７に捜索チラシ６７ａ（図８参照）を複数枚印刷させる。この捜索チラシ６７ａは、飼い主により、区画１０2から区画１０9にそれぞれ張り出される。この捜索チラシ６７ａを見て心あたりのある者は、当該飼い主にペット３０の捜索に関する情報を提供する。
【０１４２】
図１３に示したステップＳＤ２では、制御部６１は、ネットワーク７０を介して、捜索情報Ｗｅｂサーバ１００にアクセスし、捜索情報６２ｂ（図６参照）、脱走日時、脱走場所の情報を捜索情報１１１1として、捜索情報Ｗｅｂサイト１１０（図９参照）に登録する。そして、捜索情報１１１1は、クライアント９０1〜９０mの一般ユーザに閲覧される。この捜索情報１１１1を見て心あたりのある者は、当該飼い主にペット３０の捜索に関する情報を提供する。
【０１４３】
つぎに、脱走したペット３０が自力で家屋２０（区画１０1）に戻ってきた場合について説明する。この場合、ペット３０が検知装置５０1の近傍に再び位置すると、検知装置５０1のＩＣタグリーダ５３1（図４参照）は、ペット３０に取り付けられたＩＣタグ４０から捜索情報４２ａ（図３参照）をリードする。
【０１４４】
これにより、検知装置５０1の制御部５１1は、図１５に示したステップＳＦ１の判断結果を「Ｙｅｓ」とする。ステップＳＦ２では、制御部５１は、ＩＤ＝１および捜索情報４２ａ（図３参照）を無線を介して捜索装置６０へ通知する。ステップＳＦ３では、制御部５１1は、ペット３０が戻ってきたことを飼い主に報知するために、所定時間、電子ブザー５４1を鳴動させた後、ステップＳＦ１の判断を繰り返す。
【０１４５】
そして、検知装置５０1からＩＤ＝１および捜索情報４２ａが通知されると、捜索装置６０の制御部６１（図２参照）は、図１０に示したステップＳＡ５の判断結果を「Ｙｅｓ」とする。ステップＳＡ１０では、制御部６１は、ペット３０の捜索を終了するための捜索終了処理を実行する。
【０１４６】
具体的には、図１４に示したステップＳＥ１では、制御部６１は、ペット３０が戻ってきたと判定する。ステップＳＥ２では、制御部６１は、検知装置５０1から通知されたＩＤ＝１に対応する捜索ログ情報を作成する。すなわち、制御部６１は、ＩＤ＝１をキーとして、検知場所テーブル６２ａ（図５参照）から検知場所（東京都品川区品川１丁目１番１号）の情報を取得する。
【０１４７】
つぎに、制御部６１は、ＩＤ＝１が通知された日時を検知日時とし、この検知日時、ＩＤ＝１、検知場所テーブル６２ａから取得した検知場所（東京都品川区品川１丁目１番１号）、捜索情報４２ａに基づくペット名前（タマ）を捜索ログ情報として作成する。
【０１４８】
ステップＳＥ３では、制御部６１は、ステップＳＥ２で作成された捜索ログ情報（図７参照）を記憶部６２に格納する。ステップＳＥ４では、制御部６１は、ステップＳＥ２で作成された捜索ログ情報に基づいて、図１９に示した捜索終了電子メール１６０を作成する。この捜索終了電子メール１６０は、飼い主に、脱走したペット３０が自力で戻ってきたため捜索を終了する旨、検知日時、検知場所、ペット名前（捜索情報４２ａ参照）を通知するための電子メールである。
【０１４９】
ステップＳＥ５では、制御部６１は、ネットワーク７０、無線基地局１２０を介して、飼い主に携帯された携帯端末１３０へ捜索終了電子メール１６０を送信する。捜索終了電子メール１６０は、携帯端末１３０に受信された後、表示部１３３に表示される。これにより、捜索中の飼い主は、ペット３０が戻ってきたことを知るとともに、携帯端末１３０を使ったペット３０の捜索を終了し、帰宅する。
【０１５０】
また、図１０に示したステップＳＡ８の判断結果が「Ｙｅｓ」である場合、ステップＳＡ９では、捜索装置６０の制御部６１は、一連の捜索を強制的に終了した後、ステップＳＡ１の判断を行う。
【０１５１】
また、一実施例においては、ペット３０にＩＣタグ４０を取り付け捜索を行う構成例について説明したが、ＩＣタグ４０に代えて、ＧＰＳ（Global Positioning System）発信装置をペット３０に取り付け捜索を行う構成例としてもよい。
【０１５２】
このＧＰＳ発信装置は、ペット３０の位置を測定し、位置測定結果を飼い主の携帯端末１３０へ時々刻々通知する機能を備えている。携帯端末１３０は、表示部１３３に表示された地図に位置測定情報をマッピングする。これにより、飼い主は、ペット３０を早期に発見することができる。
【０１５３】
また、一実施例においては、ペット３０にＩＣタグ４０を取り付け捜索を行う構成例について説明したが、ＩＣタグ４０に加えて電子ブザーもペット３０に取り付ける構成例としてもよい。この構成例では、ＩＣタグ４０がＩＣタグリーダにリードされた場合に、ＩＣ４３等の制御により電子ブザーが鳴動される。これにより、捜索中の飼い主は、電子ブザーの音をたよりに、ペット３０を早期に発見することが可能となる。
【０１５４】
また、一実施例においては、図１０に示したステップＳＡ８で捜索終了指示があった場合に、強制的に捜索を終了させる構成例について説明したが、捜索を一時的に終了させる場合、所定時間毎に捜索装置６０から携帯端末１３０へ捜索の再開を確認するための電子メールを送信する構成例としてもよい。
【０１５５】
また、一実施例においては、捜索対象をペット３０とする構成例について説明したが、幼児や老人等にＩＣタグを持たせて、これらを捜索対象とする構成例としてもよい。
【０１５６】
また、一実施例においては、ペット３０が脱走した後に、飼い主の携帯端末１３０にその旨を報知するための捜索開始電子メール１４０や捜索電子メール１５０等の電子メールを送信する構成例について説明したが、捜索に協力してくれる隣人の携帯端末へ電子メールを送信し、ペット３０の捜索を他人数で行う構成例としてもよい。
【０１５７】
以上説明したように、一実施例によれば、ペット３０に取り付けられたＩＣタグ４０を介して該ペット３０を検知する検知装置（検知装置５０1〜５０9のうちいずれか一つの検知装置）から検知情報としてのＩＤおよび捜索情報４２ａ（以下これらを検知情報という）が通知されたか否かを監視し、検知情報が通知された場合、その旨をペット３０を飼い主（捜索する者）へ報知することとしたので、ペット３０がいなくなってから極めて早い段階で捜索を開始することができるため、ペット３０の捜索効率を高め、ひいては発見率を高めることができる。
【０１５８】
また、一実施例によれば、検知情報が通知された旨を、飼い主が携帯する携帯端末１３０を介して飼い主へ報知することとしたので、時間や場所に関わらす迅速に捜索を開始することができる。
【０１５９】
また、一実施例によれば、検知情報に基づいて、ペット３０が検知された場所、日時を報知することとしたので、捜索に必要な情報が飼い主に伝わり、捜索の初期動作を的確に行うことができる。
【０１６０】
また、一実施例によれば、ペット３０の特徴を含む捜索情報６２ｂ（図６参照）を予め記憶部６２に格納し、検知情報が通知された場合、捜索情報６２ｂに基づいて、公開捜索を行うための捜索チラシ６７ａ（図８参照）を印刷することとしたので、ペット３０がいなくなってから迅速に捜索チラシ６７ａによる公開捜索を行え、早期の発見に資することができる。
【０１６１】
また、一実施例によれば、ペット３０の特徴を含む捜索情報６２ｂ（図６参照）を予め記憶部６２に格納し、検知情報が通知された場合、公衆に閲覧される捜索情報Ｗｅｂサイト１１０（図９参照）を介して、捜索情報６２ｂに対応する捜索情報１１１1を公開することとしたので、ペット３０がいなくなってから迅速にＷｅｂサイトによる公開捜索を行え、早期の発見に資することができる。
【０１６２】
また、一実施例によれば、ペット３０を検知した場合に、その旨を音により周囲に報知する電子ブザー（例えば、電子ブザー５４1）を検知装置（例えば、検知装置５０1）に備えたこととしたので、飼い主を迅速に検知場所に誘導することができる。
【０１６３】
また、一実施例によれば、図３に示したＩＣタグ４０のメモリ４２に、ペット３０に関する捜索情報４２ａを記憶させ、該捜索情報４２ａが、該ＩＣタグ４０から、近傍の携帯端末１３０のＩＣタグリーダ１３８にリードされることとしたので、携帯端末１３０を使って、ペット３０を捜索することができ、さらにペット３０の発見率を高めることができる。
【０１６４】
また、一実施例によれば、ＩＣタグ４０の他に、検知装置により検知された場合にその旨を音により周囲に報知する電子ブザーを首輪等を介してペット３０に取り付けることとしたので、捜索をする者を迅速にペット３０に誘導することができる。
【０１６５】
また、一実施例によれば、検知装置５０1〜５０9を、捜索領域が分割された複数の区画１０1〜１０9にそれぞれ設けることとしたので、区画単位で絞り込み捜索が可能となり、捜索効率やペット３０の発見率をさらに高めることができる。
【０１６６】
また、一実施例によれば、複数の区画１０1〜１０9のうちペット３０が常駐している区画１０1（常住区画）に設けられた検知装置５０1から検知情報が通知された場合、その旨および捜索開始を、ペット３０を飼い主へ報知し、捜索開始後に、区画１０1（常住区画）に設けられた検知装置５０1から検知情報が再び通知された場合、ペット３０が区画１０1に戻ってきたものとし、その旨および捜索終了を、ペット３０を飼い主へ報知することとしたので、ペット３０が戻ってきたにもかかわらず、捜索を継続するという無駄を回避することができる。
【０１６７】
以上本発明にかかる一実施例について図面を参照して詳述してきたが、具体的な構成例はこの一実施例に限られるものではなく、本発明の要旨を逸脱しない範囲の設計変更等があっても本発明に含まれる。
【０１６８】
例えば、前述した一実施例においては、捜索装置６０や携帯端末１３０の各機能を実現するためのプログラムを図２０に示したコンピュータ読み取り可能な記録媒体４００に記録して、この記録媒体４００に記録されたプログラムを同図に示したコンピュータ３００に読み込ませ、実行することにより各機能を実現してもよい。
【０１６９】
同図に示したコンピュータ３００は、上記プログラムを実行するＣＰＵ（Central Processing Unit）３１０と、キーボード、マウス等の入力装置３２０と、各種データを記憶するＲＯＭ（Read Only Memory）３３０と、演算パラメータ等を記憶するＲＡＭ（Random Access Memory）３４０と、記録媒体４００からプログラムを読み取る読取装置３５０と、ディスプレイ、プリンタ等の出力装置３６０とから構成されている。
【０１７０】
ＣＰＵ３１０は、読取装置３５０を経由して記録媒体４００に記録されているプログラムを読み込んだ後、プログラムを実行することにより、前述した機能を実現する。なお、記録媒体４００としては、光ディスク、フレキシブルディスク、ハードディスク等が挙げられる。
【産業上の利用可能性】
【０１７１】
以上のように、本発明にかかる捜索プログラム、捜索方法および捜索装置は、ペット、幼児、老人等の捜索に対して有用である。
【図面の簡単な説明】
【０１７２】
【図１】本発明にかかる一実施例の概略構成を示すブロック図である。
【図２】同一実施例の電気的構成を示すブロック図である。
【図３】図１および図２に示したＩＣタグ４０の構成を示すブロック図である。
【図４】図１および図２に示した検知装置５０1の構成を示すブロック図である。
【図５】図２に示した検知場所テーブル６２ａを示す図である。
【図６】図２に示した捜索情報６２ｂを示す図である。
【図７】図２に示した捜索ログ情報６２ｃを示す図である。
【図８】図２に示した捜索チラシ６７ａを示す図である。
【図９】図２に示した捜索情報Ｗｅｂサイト１１０を示す図である。
【図１０】図１および図２に示した捜索装置６０の動作を説明するフローチャートである。
【図１１】図１０に示した捜索開始処理を説明するフローチャートである。
【図１２】図１０に示した捜索処理を説明するフローチャートである。
【図１３】図１０に示した公開捜索処理を説明するフローチャートである。
【図１４】図１０に示した捜索終了処理を説明するフローチャートである。
【図１５】図１および図２に示した検知装置５０1〜５０9の動作を説明するフローチャートである。
【図１６】図１および図２に示した携帯端末１３０の動作を説明するフローチャートである。
【図１７】同一実施例における捜索開始電子メール１４０を示す図である。
【図１８】同一実施例における捜索電子メール１５０を示す図である。
【図１９】同一実施例における捜索終了電子メール１６０を示す図である。
【図２０】同一実施例の変形例の構成を示すブロック図である。
【符号の説明】
【０１７３】
３０  ペット
４０  ＩＣタグ
５０1〜５０9  検知装置
６０  捜索装置
６７ａ  捜索チラシ
６１  制御部
６７  印刷部
１３０  携帯端末
１３８  ＩＣタグリーダ
１００  捜索情報Ｗｅｂサーバ
１１０  捜索情報Ｗｅｂサイト
【図１】
2005202836.tif 000003
【図２】
2005202836.tif 000004
【図３】
2005202836.tif 000005
【図４】
2005202836.tif 000006
【図５】
2005202836.tif 000007
【図６】
2005202836.tif 000008
【図７】
2005202836.tif 000009
【図８】
2005202836.tif 000010
【図９】
2005202836.tif 000011
【図１０】
2005202836.tif 000012
【図１１】
2005202836.tif 000013
【図１２】
2005202836.tif 000014
【図１３】
2005202836.tif 000015
【図１４】
2005202836.tif 000016
【図１５】
2005202836.tif 000017
【図１６】
2005202836.tif 000018
【図１７】
2005202836.tif 000019
【図１８】
2005202836.tif 000020
【図１９】
2005202836.tif 000021
【図２０】
2005202836.tif 000022